(57)【特許請求の範囲】
【請求項１】
それぞれ長手方向に沿って溝部が形成された複数の野縁部材及び野縁受部材を、互いに直交させた状態で保持具本体に接続して格子体を構成し、前記保持具本体と天井より吊下げられた吊下げ部材とを接続して前記格子体を前記天井より吊下げ可能にする野縁保持具であって、
前記保持具本体に、前記保持具本体と前記野縁部材の溝部とを係合可能にする野縁取付部と、前記保持具本体と前記野縁受部材の溝部とを係合可能にする受部材取付部と、前記保持具本体と前記吊下げ部材とを接続可能にする天井接続手段とを備え、
前記野縁取付部は、矩形の板体からなる前記保持具本体の対向する一対の両端部より略平行に立ち上げられ、前記野縁部材の溝部に挿入可能な一対の第１の立ち上げ部と、前記第１の立ち上げ部の先端を外側に折り曲げて、前記野縁部材の溝部の両側縁部の内面に前記野縁部材の長手方向に沿って係合可能に設けられ、前記野縁部材を前記野縁部材の溝部に沿ってスライド自在に保持する第１の係止部とを備え、前記受部材取付部は、前記両端部と水平方向に直交する前記保持具本体の別の一対の両端部より前記第１の立ち上げ部とは反対方向へ略平行に立ち上げられ、前記野縁受部材の溝部に挿入可能な一対の第２の立ち上げ部と、前記第２の立ち上げ部の先端を外側に折り曲げて、前記野縁受部材の溝部の両側縁部の内面に前記野縁受部材の長手方向に沿って係合可能に設けられ、前記野縁受部材を前記野縁受部材の溝部に沿ってスライド自在に保持する第２の係止部とを備えたことを特徴とする野縁保持具。
【請求項２】
前記野縁取付部に、前記保持具本体に前記第１の立ち上げ部と略同一方向に立ち上げられ、且つ前記第１の立ち上げ部間の間隔より幅狭に形成され、前記野縁部材の前記溝部より幅狭な溝部を備えた別の幅狭な野縁部材の前記幅狭な溝部に挿入可能な一対の第３の立ち上げ部と、
前記第３の立ち上げ部の先端を外側に折り曲げて、前記幅狭な溝部の両側縁部の内面に前記幅狭な野縁部材の長手方向に沿って係合可能に設けられ、前記幅狭な野縁部材を前記幅狭な溝部に沿ってスライド自在に保持する第３の係止部とを備えたことを特徴とする請求項１記載の野縁保持具。
【請求項３】
前記保持具本体における隣接する前記第１の立ち上げ部と前記第２の立ち上げ部との間より水平方向に延設された延設片を水平方向に２分割して、分割された一方を垂直下向きに折り曲げて前記野縁部材の両側縁部の外面に押圧可能な野縁側押圧部を設けると共に、他方を垂直上向きに折り曲げて前記野縁受部材の両側縁部の外面に押圧可能な受部材側押圧部を設けたことを特徴とする請求項１又は２に記載の野縁保持具。
【請求項４】
前記吊下げ部材を雄ねじ部材とし、
前記天井接続手段に、前記保持具本体に設けられた前記雄ねじ部材が挿通可能な貫通部と、前記貫通部に挿通された前記雄ねじ部材に螺着して、前記保持具本体を前記雄ねじ部材に接続可能とする雌ねじ部材とを備えたことを特徴とする請求項１〜３のいずれか１項に記載の野縁保持具。
【請求項５】
前記吊下げ部材を雄ねじ部材とし、
前記天井接続手段に、前記保持具本体より突設された腕部と、前記腕部の先端に設けられた前記雄ねじ部材が挿通可能な貫通部と、前記貫通部に挿通された前記雄ねじ部材に螺着して、前記保持具本体を前記雄ねじ部材に接続可能とする雌ねじ部材とを備えたことを特徴とする請求項１〜３のいずれか１項に記載の野縁保持具。
【発明の詳細な説明】
【技術分野】
【０００１】
本発明は、野縁部材を保持する野縁保持具に関する。
【背景技術】
【０００２】
従来、天井より吊下げられた吊下げ部材にハンガーを取り付け、このハンガーに野縁受部材を取り付け、野縁保持具を用いて複数の野縁部材と野縁受部材とを格子状に組み立て、野縁部材の下面に天井パネルを取り付けて天井を形成していた（特許文献１）。
【先行技術文献】
【特許文献】
【０００３】
【特許文献１】特開２００８−２１４８９７号公報
【発明の概要】
【発明が解決しようとする課題】
【０００４】
しかし、天井に天井パネルを取り付ける作業は、高所で行われることが多く、上記の構成では、吊下げ部材にハンガーを取り付ける工程と、そのハンガーに野縁受部材を取り付ける工程と、野縁保持具を用いて野縁部材と野縁受部材を格子状に組み立てる工程と、野縁部材に天井パネルを取り付ける工程という複数工程に分かれており、部品点数が増加するにつれて、作業工程が増加して、全体の作業時間が増加するという問題があった。
【０００５】
そこで、本発明は、上記課題を解消するものであり、天井に天井パネルを取り付ける際の部品点数を低減し、作業効率を向上させる野縁保持具を提供することを目的とする。
【課題を解決するための手段】
【０００６】
請求項１の発明の野縁保持具は、それぞれ長手方向に沿って溝部が形成された複数の野縁部材及び野縁受部材を、互いに直交させた状態で保持具本体に接続して格子体を構成し、前記保持具本体と天井より吊下げられた吊下げ部材とを接続して前記格子体を前記天井より吊下げ可能にする野縁保持具であって、前記保持具本体に、前記保持具本体と前記野縁部材の溝部とを係合可能にする野縁取付部と、前記保持具本体と前記野縁受部材の溝部とを係合可能にする受部材取付部と、前記保持具本体と前記吊下げ部材とを接続可能にする天井接続手段とを備え、前記野縁取付部は、矩形の板体からなる前記保持具本体の対向する一対の両端部より略平行に立ち上げられ、前記野縁部材の溝部に挿入可能な一対の第１の立ち上げ部と、前記第１の立ち上げ部の先端を外側に折り曲げて、前記野縁部材の溝部の両側縁部の内面に前記野縁部材の長手方向に沿って係合可能に設けられ、前記野縁部材を前記野縁部材の溝部に沿ってスライド自在に保持する第１の係止部とを備え、前記受部材取付部は、前記両端部と水平方向に直交する前記保持具本体の別の一対の両端部より前記第１の立ち上げ部とは反対方向へ略平行に立ち上げられ、前記野縁受部材の溝部に挿入可能な一対の第２の立ち上げ部と、前記第２の立ち上げ部の先端を外側に折り曲げて、前記野縁受部材の溝部の両側縁部の内面に前記野縁受部材の長手方向に沿って係合可能に設けられ、前記野縁受部材を前記野縁受部材の溝部に沿ってスライド自在に保持する第２の係止部とを備えたことを特徴とする。
【０００７】
請求項２の発明の野縁保持具は、前記野縁取付部に、前記保持具本体に前記第１の立ち上げ部と略同一方向に立ち上げられ、且つ前記第１の立ち上げ部間の間隔より幅狭に形成され、前記野縁部材の前記溝部より幅狭な溝部を備えた別の幅狭な野縁部材の前記幅狭な溝部に挿入可能な一対の第３の立ち上げ部と、前記第３の立ち上げ部の先端を外側に折り曲げて、前記幅狭な溝部の両側縁部の内面に前記幅狭な野縁部材の長手方向に沿って係合可能に設けられ、前記幅狭な野縁部材を前記幅狭な溝部に沿ってスライド自在に保持する第３の係止部とを備えたことを特徴とする。
【０００８】
請求項３の発明の野縁保持具は、前記保持具本体における隣接する前記第１の立ち上げ部と前記第２の立ち上げ部との間より水平方向に延設された延設片を水平方向に２分割して、分割された一方を垂直下向きに折り曲げて前記野縁部材の両側縁部の外面に押圧可能な野縁側押圧部を設けると共に、他方を垂直上向きに折り曲げて前記野縁受部材の両側縁部の外面に押圧可能な受部材側押圧部を設けたことを特徴とする。
【０００９】
請求項４の発明の野縁保持具は、前記吊下げ部材を雄ねじ部材とし、前記天井接続手段に、前記保持具本体に設けられた前記雄ねじ部材が挿通可能な貫通部と、前記貫通部に挿通された前記雄ねじ部材に螺着して、前記保持具本体を前記雄ねじ部材に接続可能とする雌ねじ部材とを備えたことを特徴とする。
【００１０】
請求項５の発明の野縁保持具は、前記吊下げ部材を雄ねじ部材とし、前記天井接続手段に、前記保持具本体より突設された腕部と、前記腕部の先端に設けられた前記雄ねじ部材が挿通可能な貫通部と、前記貫通部に挿通された前記雄ねじ部材に螺着して、前記保持具本体を前記雄ねじ部材に接続可能とする雌ねじ部材とを備えたことを特徴とする。
【発明の効果】
【００１１】
請求項１の発明によれば、野縁保持具に野縁部材を取り付ける野縁側取付部と野縁受部材を取り付ける受部材側取付部からなる野縁部材及び野縁受部材より格子体を組み立てる構成と、格子体を天井へ接続する構成とを野縁保持具１にまとめて一つに備えたことにより、野縁部材と野縁受部材により組み立てられる格子体を天井に接続する構造が単純になり、部品点数の低減を図るとともに、格子体の組み立てや天井への接続等の作業を容易にすることができる。また、野縁保持具の第１の係止部を第１の野縁側両側縁部の内面に野縁部材の長手方向に沿って係合させることで、第１の係止部と野縁部材の溝部の両側縁部の内面との接触面積を増大させて、第１の係止部２１と野縁部材の溝部の両側縁部の接触部分にガタが生じる恐れを防止して、野縁保持具と野縁部材との係合状態を安定化させることができる。同様に、野縁保持具の第２の係止部を野縁受部材の溝部の両側縁部の内面に野縁受部材の長手方向に沿って係合させることで、第２の係止部と野縁受部材の溝部の両側縁部の内面との接触面積を増大させて、第２の係止部と野縁受部材の溝部の両側縁部の接触部分にガタが生じる恐れを防止して、野縁保持具と野縁受部材との係合状態を安定化させることができる。また、野縁部材を野縁部材の溝部に沿ってスライド自在に保持するとともに、野縁受部材を野縁受部材の溝部に沿ってスライド自在に保持することにより、格子体の平面形状を天井の形状に合わせた任意の形状に簡便に設定することができる。
【００１２】
請求項２の発明によれば、第３の係止部を幅狭な野縁部材の両側縁部の内面に幅狭な野縁部材の長手方向に沿って係合させることで、第３の係止部と幅狭な野縁部材の両側縁部の内面との接触面積を増大させて、第３の係止部と幅狭な野縁部材の両側縁部の接触部分にガタが生じる恐れを防止して、野縁保持具と幅狭な野縁部材との係合状態を安定化させることができる。幅狭な野縁部材を幅狭な野縁部材の溝部に沿ってスライド自在に保持することにより、格子体の平面形状を天井の形状に合わせた任意の形状に簡便に設定することができる。
【００１３】
請求項３の発明によれば、野縁側押圧部によって野縁部材の両側縁部の外面が押圧されると、相対的に第１の係止部によって野縁部材の両側縁部の内面が押圧され、第１の係止部と野縁部材の両側縁部との係合をさらに強固なものとして、野縁保持具と野縁部材との係合状態をさらに安定化させることができる。同様に、受部材側押圧部によって野縁受部材の両側縁部の外面が押圧されると、相対的に第２の係止部によって野縁受部材の両側縁部の内面に押圧され、第２の係止部と野縁受部材の両側縁部との係合をさらに強固なものとして、野縁保持具と野縁受部材との係合状態をさらに安定化させることができる。
【００１４】
請求項４の発明によれば、雄ねじ部材と雌ねじ部材により天井と格子体の接続を行う構造としたことで、格子体は雌ねじ部材を介して雄ねじ部材に上下動自在に構成されており、格子体の下面に取り付けられる天井パネルの高さを例えば雌ねじ部材が雄ねじ部材の先端に螺着した最低位置から野縁受部材の上面が天井に当接する最高位置までの任意の高さに調整可能に構成されている。また、雌ねじ部材を回動動作させることによって、雄ねじ部材の軸方向における雌ねじ部材の螺着位置を変位させ、野縁保持具の垂直方向の位置を任意に変更させ、格子体を保持している各野縁保持具の垂直方向の位置を均一に揃えることにより、格子体を水平に保持して、この格子体の下面部に取り付けられる天井パネルを水平に保持することが可能となる。
【００１５】
請求項５の発明によれば、雄ねじ部材と雌ねじ部材により天井と格子体の接続を行う構造としたことで、格子体８はナット１８Ａを介して第１の吊下げボルト１０に上下動自在に構成されており、格子体８の下面に取り付けられる天井パネルの高さを例えばナット１８Ａが第１の吊下げボルト１０の先端に螺着した最低位置から野縁受部材７の上面が天井９に当接する最高位置までの任意の高さに調整可能に構成されている。また、雌ねじ部材を回動動作させることによって、雄ねじ部材の軸方向における雌ねじ部材の螺着位置を変位させ、野縁保持具の垂直方向の位置を任意に変更させ、格子体を保持している各野縁保持具の垂直方向の位置を均一に揃えることにより、格子体を水平に保持して、この格子体の下面部に取り付けられる天井パネルを水平に保持することが可能となる。さらに、貫通部を腕部の先端に備えたことにより、雄ねじ部材への雌ねじ部材の着脱作業及び雄ねじ部材の軸方向に対する雌ねじ部材の螺着位置の調節作業等に伴う雌ねじ部材の回動作業を容易にして、作業性の向上を図ることができる。
【図面の簡単な説明】
【００１６】
【図１】本発明の第１実施例における野縁保持具の斜視図である。
【図２】同上、野縁保持具の平面図である。
【図３】同上、野縁保持具の底面図である。
【図４】同上、野縁保持具の正面図である。
【図５】同上、野縁保持具の側面図である。
【図６】同上、格子体を組み立てた状態を示す斜視図である。
【図７】同上、野縁保持具に第１の野縁部材を取り付けた状態を示す斜視図である。
【図８】同上、野縁保持具に第２の野縁部材を取り付けた状態を示す斜視図である。
【図９】同上、野縁保持具に第１の野縁部材を取り付けた状態を示す断面図である。
【図１０】同上、野縁保持具に第２の野縁部材を取り付けた状態を示す断面図である。
【図１１】同上、格子体を天井に接続した状態を示す断面図である。
【図１２】同上、第１の野縁部材を防振部材を介して天井に接続した状態を示す断面図である。
【図１３】同上、防振部材の他の実施形態を示す断面図である。
【図１４】本発明の第２実施例における野縁保持具と第１の吊下げボルトの分解斜視図である。
【図１５】同上、格子体を天井に接続した状態を示す断面図である。
【図１６】本考案の第３実施例における野縁保持具と第１の吊下げボルトの分解斜視図である。
【図１７】同上、野縁保持具の平面図である。
【図１８】同上、格子体を天井に接続した状態を示す断面図である。
【図１９】同上、図１８とは異なる断面を示す断面図である。
【図２０】同上、格子体を組み立てた状態を示す斜視図である。
【発明を実施するための形態】
【００１７】
以下、本発明における実施の形態について、添付図面を参照しながら説明する。
【実施例１】
【００１８】
図１〜図１２は本発明の実施形態の一例を示すものであり、本実施例の野縁保持具１は、それぞれ長手方向に沿って溝部として野縁側溝部２,３及び受部材側溝部４が形成された断面略Ｃ形状の形鋼からなる複数の野縁部材５,６及び野縁受部材７を、互いに直交させて、且つ野縁側溝部２,３及び受部材側溝部４を対向させて一体化して、野縁部材５,６の下面に石膏ボード、コンパネ等の板材からなる天井パネル（図示せず）が取付可能な格子体８を構成するとともに、この格子体８と天井９より垂設されて吊下げられた吊下げ部材としての第１の吊下げボルト１０とを接続可能に構成するものである。本実施例では、長手方向（図中、Ｘ方向）と水平方向に直交する方向である短手方向（図中、Ｙ方向）の幅Ｈ１,Ｈ２の異なる２種類の野縁部材として、幅を大きく設定された幅広な第１の野縁部材５と、幅を小さく設定された幅狭な第２の野縁部材６を用いる。ここで、第１の野縁部材５の幅Ｈ１は、第２の野縁部材６の幅Ｈ２の約２倍の大きさに設定されている。
【００１９】
野縁保持具１は、矩形状に形成されたステンレス鋼、アルミニウム等の金属製の薄板からなる保持具本体１１の下部には、第１の野縁部材５の第１の野縁側溝部２の断面略Ｊ型に形成された第１の野縁側両側縁部１２と係合可能な第１の野縁取付部１３と、第２の野縁部材６の第２の野縁側溝部３の断面略Ｊ型に形成された第２の野縁両側縁部１４と係合可能な第２の野縁取付部１５が設けられている。
【００２０】
また、保持具本体１１の上部には、野縁受部材７の受部材側溝部４の断面略Ｊ型に形成された受部材側両側縁部１６と係合可能な受部材取付部１７が設けられるとともに、保持具本体１１の略中央部分には、第１の吊下げボルト１０が接続可能な天井接続手段１８が設けられている。
【００２１】
第１の野縁取付部１３は、保持具本体１１の対向する一対の両端部１９より略平行に立ち上げられ、第１の野縁部材５の第１の野縁側溝部２に挿入可能な一対の第１の立ち上げ部２０と、各第１の立ち上げ部２０の先端を互いの距離が離れるよう外側に折り曲げて断面略Ｊ型に形成し、第１の野縁側両側縁部１２の内面に長手方向（図中、Ｘ方向）に沿って係合可能に設けられ、第１の野縁部材５を第１の野縁側溝部２に沿ってスライド自在に保持する第１の係止部２１が設けられている。
【００２２】
受部材取付部１７は、一対の両端部１９,１９と水平方向に直交する保持具本体１１の別の一対の両端部２２,２２より第１の立ち上げ部２０とは反対方向へ略平行に立ち上げられ、受部材側溝部４に挿入可能な一対の第２の立ち上げ部２３と、各第２の立ち上げ部２３,２３の先端を互いの距離が離れるよう外側に折り曲げて断面略Ｊ型に形成し、受部材側両側縁部１６の内面に野縁受部材７の長手方向（図中、Ｚ方向）に沿って係合可能に設けられ、野縁受部材７を受部材側溝部４に沿ってスライド自在に保持する第２の係止部２４が設けられている。
【００２３】
第２の野縁取付部１５には、保持具本体１１の第１の立ち上げ部２０,２０間に第１の立ち上げ部２０と略平行に立ち上げられ、且つ第１の立ち上げ部２０,２０間の間隔Ｍ１より幅狭な間隔Ｍ２に形成され、第２の野縁側溝部３に挿入可能な一対の第３の立ち上げ部２５,２５と、各第３の立ち上げ部２５,２５の先端を互いの距離が離れるよう外側に折り曲げて、第２の野縁両側縁部１４の内面に長手方向（図中、Ｘ方向）に沿って係合可能に設けられ、第２の野縁部材６を第２の野縁側溝部３に沿ってスライド自在に保持する第３の係止部２６が設けられている。
【００２４】
ここで、各第１の立ち上げ部２０,２０は、保持具本体１１側の基端から第１の係止部２１側の先端にかけて、互い距離が近付くように傾斜して形成されており、第２の立ち上げ部２３,２３及び第３の立ち上げ部２５,２５についても同様に保持具本体１１側の基端から第２の係止部２４,２４及び第３の係止部２６,２６側の先端にかけて、互いの距離が近付くように傾斜して形成されている。
【００２５】
保持具本体１１の略中央部分には、保持具本体１１の上面と下面とを連通する本体側貫通部１１Ａを備えるとともに、第１の吊下げボルト１０に螺着可能な雌ねじ部材としてのナット１８Ａを本体側貫通部１１Ａと連通させた状態で保持具本体１１に固定して天井接続手段１８を構成している。ここで、野縁受部材７における受部材側溝部４と対向する閉塞側である上面部には、第１の吊下げボルト１０が遊挿自在に形成された受部材側貫通部２７が形成されており、この受部材側貫通部２７及び前記本体側貫通部１１Ａに挿通された第１の吊下げボルト１０にナット１８Ａを螺着することで、格子体８を天井９に吊下げ可能に構成している。
【００２６】
また、保持具本体１１の隣接する第１の立ち上げ部２０と第３の立ち上げ部２５との間より水平方向に突出させて延設され、さらに水平方向に２分割して延設片２８が形成されている。この延設片２８の分割された一方を、垂直下向きに折り曲げて第１の野縁側両側縁部１２の外面に押圧可能な野縁側押圧部２９を設けると共に、他方を垂直上向きに折り曲げて受部材側両側縁部１６の外面に押圧可能な受部材側押圧部３０を設けている。
【００２７】
さらに、格子体８の防振手段として、矩形のステンレス鋼、アルミニウム等の金属製の板材を、その長手方向に断面略Ｃ形に形成した防振部材３１を備えている。この防振部材３１は、防振部材３１の凸曲面３２側の中央部分を野縁受部材７の上面部の内面に対向させた状態で、防振部材３１を野縁受部材７内部に収容した場合に、防振部材３１の短手方向の両端をそれぞれ、野縁受部材７の受部材側両側縁部１６の内面に野縁受部材７の長手方向（図中、Ｙ方向）に沿って係合可能に設けられており、野縁受部材７を受部材側溝部４に沿ってスライド自在に保持可能に備えている。また防振部材３１の中央部分には、天井９より垂設された第２の吊下げボルト３３を螺着可能とする螺子穴３４が形成されている。
【００２８】
さらに、第２の吊下げボルト３３の中央部分には、水平方向に貫通して形成されたボルト側貫通部３５を備えており、このボルト側貫通部３５には、両端をそれぞれ天井に固定された第１のワイヤ部材３６が挿通されている。
【００２９】
次に、上記構成についてその作用を説明する。最初に、第１の野縁部材５及び野縁受部材７を一体化させて格子体８を組み立てる方法について説明する。野縁保持具１の第１の立ち上げ部２０を第１の野縁部材５の第１の野縁側溝部２に挿入して、第１の係止部２１を第１の野縁側両側縁部１２の内面に第１の野縁部材５の長手方向（図中、Ｘ方向）に沿って係合させて、第１の野縁部材５を第１の野縁側溝部２に沿ってスライド自在に保持する。また、野縁保持具１の第２の立ち上げ部２３を野縁受部材７の受部材側溝部４に挿入して、第２の係止部２４を受部材側両側縁部１６の内面に野縁受部材７の長手方向（図中、Ｚ方向）に沿って係合させて、野縁受部材７を受部材側溝部４に沿ってスライド自在に保持する。このようにして、第１の野縁部材５及び野縁受部材７を、互いに直交させて、且つ第１の野縁側溝部２及び受部材側溝部４を対向させて一体化された格子体８を組み立てられ、第１の野縁部材５の下面部には天井パネル（図示せず）が取り付けられる。
【００３０】
ここで、第２の野縁部材６と野縁受部材７を一体化させて格子体８を組み立てる場合には、野縁保持具１の第３の立ち上げ部２５を第２の野縁部材６の第２の野縁側溝部３に挿入して、第３の係止部２６と第２の野縁両側縁部１４を係合させて、第２の野縁部材６を第２の野縁側溝部３に沿ってスライド自在に保持して、前述の通りに野縁受部材７を受部材側溝部４に沿ってスライド自在に保持することにより、第２の野縁部材６及び野縁受部材７を、互いに直交させて、且つ第２の野縁側溝部３及び受部材側溝部４を対向させて一体化された格子体８を組み立てられ、第２の野縁部材６の下面部には天井パネル（図示せず）が取り付けられる。格子体８を組み立てる際に、第１の野縁部材５及び第２の野縁部材６のどちらを用いるかは、格子体８の下面部に取り付けられる天井パネルの重量に応じて適宜変更可能とする。
【００３１】
また、格子体８を組み立てる際に、野縁側押圧部２９によって第１の野縁側両側縁部１２の外面が押圧されると、相対的に第１の係止部２１が第１の野縁側両側縁部１２の内面に押圧されるので、第１の係止部２１と第１の野縁側両側縁部１２との係合が強固なものとなる。同様に、受部材側押圧部３０によって受部材側両側縁部１６の外面が押圧されると、相対的に第２の係止部２４が受部材側両側縁部１６の内面に押圧されるので、第２の係止部２４と受部材側両側縁部１６との係合が強固なものとなる。
【００３２】
次に、前述の通りに組み立てられた格子体８は、野縁保持具１のナット１８Ａを野縁受部材７の受部材側貫通部２７を介して天井９から垂設された第１の吊下げボルト１０に装着することによって天井９に接続される。
【００３３】
続いて、防振部材３１の取り付け方法について説明する。防振部材３１を凸曲面３２側の中央部分を第１の野縁部材５の下面部の内面に対向させた状態で、防振部材３１を第１の野縁部材５内部に収容して、防振部材３１の短手方向の両端をそれぞれ第１の野縁部材５の第１の野縁側両側縁部１２の内面に第１の野縁部材５の長手方向（図中、Ｘ方向）に沿って係合させて第１の野縁部材５に装着して、防振部材３１の螺子穴３４に螺着された第２の吊下げボルト３３の先端を第１の野縁部材５の下面部の内面に押圧させて、格子体８を第２の吊下げボルトとワイヤ部材によって天井９に吊下げ固定している。
【００３４】
このように、本実施例の野縁保持具１によって第１又は第２の野縁部材５,６及び野縁受部材７を格子体８に組み立てるとともに、格子体８を天井９から垂設された第１の吊下げボルト１０に取り付けて、天井９に吊下げるものである。そして野縁保持具１に第１又は第２の野縁部材５,６を取り付ける第１又は第２の野縁側取付部１３,１５と野縁受部材７を取り付ける受部材側取付部１７からなる第１又は第２の野縁部材５,６及び野縁受部材７より格子体８を組み立てる構成と、格子体８を天井９へ接続する構成とを野縁保持具１にまとめて一つに備えたことにより、第１又は第２の野縁部材５,６と野縁受部材７により組み立てられる格子体８を天井９に接続する構造が単純になり、部品点数の低減を図るとともに、格子体８の組み立てや天井９への接続等の作業を容易にすることができる。
【００３５】
また、第１の吊下げボルト１０の先端を、野縁受部材７の受部材側貫通部２７を介して野縁受部材７内部に挿通させて、野縁受部材７と第１又は第２の野縁部材５,６の間に配設された野縁保持具１のナット１８Ａに螺着させて、格子体８を天井９に接続させる構造とすることにより、格子体８全体の構造を野縁受部材７の上面部より上方へと突出させない構造とすることで、野縁受部材７が天井９に接触するまで格子体８を天井９に近接させて接続することが構造上可能となるので、格子体８の設置場所の制限を低減させることが可能となり、設計の自由度を高めるとともに、天井９への格子体８の取り付けや取り外し等の作業性やメンテナンス性を向上させることができる。
【００３６】
さらに、野縁保持具１の第１の係止部２１を第１の野縁側両側縁部１２の内面に第１の野縁部材５の長手方向（図中、Ｘ方向）に沿って係合させることで、第１の係止部２１と第１の野縁側両側縁部１２の内面との接触面積を増大させて、第１の係止部２１と第１の野縁側両側縁部１２の接触部分にガタが生じる恐れを防止して、野縁保持具１と第１の野縁部材５との係合状態を安定化させることができる。同様に、野縁保持具１の第２の係止部２４を受部材側両側縁部１６の内面に野縁受部材７の長手方向（図中、Ｚ方向）に沿って係合させることで、第２の係止部２４と受部材側両側縁部１６の内面との接触面積を増大させて、第２の係止部２４と受部材側両側縁部１６の接触部分にガタが生じる恐れを防止して、野縁保持具１と野縁受部材７との係合状態を安定化させることができる。さらに、第３の係止部２６を第２の野縁両側縁部１４の内面に第２の野縁部材６の長手方向（図中、Ｘ方向）に沿って係合させることで、第３の係止部２６と第２の野縁両側縁部１４の内面との接触面積を増大させて、第３の係止部２６と第２の野縁両側縁部１４の接触部分にガタが生じる恐れを防止して、野縁保持具１と第２の野縁部材６との係合状態を安定化させることができる。
【００３７】
また、第１及び第２の野縁部材５,６を第１及び第２の野縁側溝部２,３に沿ってスライド自在に保持するとともに、野縁受部材７を受部材側溝部４に沿ってスライド自在に保持することにより、格子体８の平面形状を天井９又は天井パネルの形状に合わせた任意の形状に簡便に設定することができる。
【００３８】
さらに野縁保持具１に、異なる幅Ｍ１,Ｍ２を有する第１又は第２の野縁部材５,６を選択的に取付可能に備えたことにより、比較的重量の大きな天井パネルを格子体８の下面部に取り付ける場合には、幅Ｍ１が大きく機械的強度の大きな第１の野縁部材５を野縁保持具１に取り付けることで、格子体８の機械的強度を高め、重量の大きな天井パネルを安定させて取り付けることが可能となる。また、比較的重量の小さな天井パネルを格子体８の下面部に取り付ける場合には、幅Ｍ２が小さく軽量な第２の野縁部材６を野縁保持具１に取り付けることで、格子体８の軽量化を図り、格子体８の天井９への着脱作業を容易にする等の作業性の向上や格子体８に係る材料費の低減を図ることができる。
【００３９】
また、野縁側押圧部２９によって第１の野縁側両側縁部１２の外面が押圧されると、相対的に第１の係止部２１によって第１の野縁側両側縁部１２の内面が押圧され、第１の係止部２１と野縁側両側縁部との係合をさらに強固なものとして、野縁保持具１と第１の野縁部材５との係合状態をさらに安定化させることができる。同様に、受部材側押圧部３０によって受部材側両側縁部１６の外面が押圧されると、相対的に第２の係止部２４によって受部材側両側縁部１６の内面に押圧され、第２の係止部２４と受部材側両側縁部１６との係合をさらに強固なものとして、野縁保持具１と野縁受部材７との係合状態をさらに安定化させることができる。
【００４０】
さらに、第１の吊下げボルト１０とナット１８Ａにより天井９と格子体８の接続を行う構造としたことで、格子体８はナット１８Ａを介して第１の吊下げボルト１０に上下動自在に構成されており、格子体８の下面部に取り付けられる天井パネルの高さを例えばナット１８Ａが第１の吊下げボルト１０の先端に螺着した最低位置から野縁受部材７の上面が天井９に当接する最高位置までの任意の高さに調整可能に構成されている。
【００４１】
また、野縁保持具１を介して天井９から吊下げられた格子体８を水平に保持するには、第１の吊下げボルト１０に螺着されたナット１８Ａを回動させて、第１の吊下げボルト１０の軸方向におけるナット１８Ａの螺着位置を変位させることで、野縁保持具１の垂直方向の位置を任意に変更させることが可能となる。このようなナット１８Ａの回動動作によって、格子体８を保持している各野縁保持具１の垂直方向の位置を均一に揃えることにより、格子体８を水平に保持して、この格子体８の下面部に取り付けられる天井パネルを水平に保持することが可能となる。
【００４２】
さらに、防振部材３１を介して第２の吊下げボルト３３及び第１のワイヤ部材３６に格子体８を接続したことにより、第１の吊下げボルト１０に加えて第２の吊下げボルト３３及び第１のワイヤ部材３６による格子体８における平面視方向の単位面積あたりの天井９への接続箇所を増加させることにより、格子体８を天井９へ安定させて接続することが可能となる。また、防振部材３１の短手方向の両端をそれぞれ第１の野縁部材５の第１の野縁側両側縁部１２の内面に第１の野縁部材５の長手方向（図中、Ｘ方向）に沿って係合させることにより、防振部材３１の両端と第１の野縁側両側縁部１２の内面との接触面積を増大させて、防振部材３１と第１の野縁側両側縁部１２の接触部分にガタが生じる恐れを防止するとともに、防振部材３１の螺子穴３４に螺着された第２の吊下げボルト３３の先端を第１の野縁部材５の下面部の内面に押圧させて、格子体８を天井９に固定したことにより、防振部材３１と第１の野縁部材５の結合状態を安定させることができる。さらに、第２の吊下げボルト３４は、第１のワイヤ部材３６の張力によって垂直上向きに力が加えられた状態で天井９に保持されており、格子体８の吊下げ重量に対して安定して吊下げ保持するとともに、格子体８の水平方向への振動を抑えて吊下げ保持することが可能となる。
【００４３】
ここで、各第１の立ち上げ部２０,２０は、保持具本体１１側の基端から第１の係止部２１側の先端にかけて、互い距離が近付くように傾斜して形成されており、第２の立ち上げ部２３及び第３の立ち上げ部２５についても同様に、保持具本体１１側の基端から第２の係止部２４及び第３の係止部２６側の先端にかけて、互いの距離が近付くように傾斜して形成したことにより、第１の立ち上げ部２０を第１の係止部２１側から野縁側溝部２,３に挿入すると、第１の立ち上げ部２０は傾斜が大きくなる方向へ弾性変形していき、第１の係止部２１が第１の野縁側溝部２を通過すると第１の立ち上げ部２０は弾性復元力により弾性変形する前の状態へと戻ろうとして、第１の係止部２１と第１の野縁側両側縁部１２は係合するので、第１の立ち上げ部２０を第１の係止部２１側から野縁側溝部２,３に押し込むだけで、簡便に第１の係止部２１と野縁側両側縁部１２,１４とを係合させることができる。また、係合状態にある第１の係止部２１と野縁側両側縁部１２,１４は、弾性復元力により第１の立ち上げ部２０が野縁側両側縁部１２,１４の外面に押圧されているので容易に係合状態が解除され難い構造となっており、安定した係合状態を確保することができる。
【００４４】
以上のように本実施例は請求項１に対応しており、それぞれ長手方向に沿って溝部として第１又は第２の野縁側溝部２,３と受部側溝部４が形成された複数の野縁部材としての第１又は第２の野縁部材５,６及び野縁受部材７を、互いに直交させた状態で保持具本体１０に接続して格子体８を構成し、保持具本体１０と天井９より吊下げられた吊下げ部材として第１の吊下げボルト１０とを接続して格子体８を天井９より吊下げ可能にする野縁保持具１であって、保持具本体１１に、保持具本体１１の下部に設けた第１又は第２の野縁側溝部２,３と係合可能な野縁取付部としての第１又は第２の野縁取付部１３,１５と、保持具本体１１の上部に設けた受部側溝部４と係合可能な受部材取付部１７と、保持具本体１１の略中央部分に配設され、野縁受部材７の上面に形成された貫通部としての受部材側貫通部２７を介して第１の吊下げボルト１０に接続可能な天井接続手段としてのナット１８Ａとを備えている。
【００４５】
この場合、野縁保持具１に、第１又は第２の野縁部材５,６を取り付ける第１又は第２の野縁側取付部１３,１５と野縁受部材７を取り付ける受部材側取付部１７からなる第１又は第２の野縁部材５,６及び野縁受部材７より格子体８を組み立てる構成と、格子体８を天井９へ接続する構成とをまとめて一つに備えたことにより、第１又は第２の野縁部材５,６と野縁受部材７により組み立てられる格子体８を天井９に接続する構造が単純になり、部品点数の低減を図るとともに、格子体８の組み立てや天井９への接続等の作業を容易にすることができる。
【００４６】
また本実施例は請求項１に対応しており、第１の野縁取付部１３は、矩形の板体からなる保持具本体１１の対向する一対の両端部１９,１９より略平行に立ち上げられ、第１の野縁部材５の第１の野縁側溝部２に挿入可能な一対の第１の立ち上げ部２０,２０と、第１の立ち上げ部２０,２０の先端を外側に折り曲げて、第１の野縁部材５の第１の野縁側溝部２の両側縁部としての第１の野縁側両側縁部１２の内面に第１の野縁部材５の長手方向（図中、Ｘ方向）に沿って係合可能に設けられ、第１の野縁部材５を第１の野縁側溝部２に沿ってスライド自在に保持する第１の係止部２１とを備え、受部材取付部１７は、両端部１９,１９と水平方向に直交する保持具本体１１の別の一対の両端部２２,２２より第１の立ち上げ部２０,２０とは反対方向へ略平行に立ち上げられ、受部材側溝部４に挿入可能な一対の第２の立ち上げ部２３,２３と、第２の立ち上げ部２３,２３の先端を外側に折り曲げて、受部材側溝部４の受部材側両側縁部１６の内面に野縁受部材７の長手方向（図中、Ｚ方向）に沿って係合可能に設けられ、野縁受部材７を受部材側溝部４に沿ってスライド自在に保持する第２の係止部２４とを備えている。
【００４７】
この場合、野縁保持具１の第１の係止部２１を第１の野縁側両側縁部１２の内面に第１の野縁部材５の長手方向（図中、Ｘ方向）に沿って係合させることで、第１の係止部２１と第１の野縁側両側縁部１２の内面との接触面積を増大させて、第１の係止部２１と第１の野縁側両側縁部１２の接触部分にガタが生じる恐れを防止して、野縁保持具１と第１の野縁部材５との係合状態を安定化させることができる。同様に、野縁保持具１の第２の係止部２４を受部材側両側縁部１６の内面に野縁受部材７の長手方向（図中、Ｚ方向）に沿って係合させることで、第２の係止部２４と受部材側両側縁部１６の内面との接触面積を増大させて、第２の係止部２４と受部材側両側縁部１６の接触部分にガタが生じる恐れを防止して、野縁保持具１と野縁受部材７との係合状態を安定化させることができる。また、第１及び第２の野縁部材５,６を第１及び第２の野縁側溝部２,３に沿ってスライド自在に保持するとともに、野縁受部材７を受部材側溝部４に沿ってスライド自在に保持することにより、格子体８の平面形状を天井９又は天井パネルの形状に合わせた任意の形状に簡便に設定することができる。
【００４８】
さらに本実施例は請求項２に対応しており、野縁取付部としての第２の野縁取付部１５に、保持具本体１１に第１の立ち上げ部２０と略同一方向に立ち上げられ、且つ第１の立ち上げ部２０,２０間の間隔Ｍ１より幅狭に形成され、第１の野縁部材５の第１の野縁側溝部２より幅狭な第２の野縁側溝部３を備えた別の幅狭な野縁部材として第２の野縁部材６の第２の野縁側溝部３に挿入可能な一対の第３の立ち上げ部２５,２５と、第３の立ち上げ部２５,２５の先端を外側に折り曲げて、第２の野縁側溝部３の第２の野縁側両側縁部１４の内面に第２の野縁部材６の長手方向（図中、Ｘ方向）に沿って係合可能に設けられ、第２の野縁部材６を第２の野縁側溝部３に沿ってスライド自在に保持する第３の係止部２６とを備えている。
【００４９】
この場合、第３の係止部２６を第２の野縁両側縁部１４の内面に第２の野縁部材６の長手方向（図中、Ｘ方向）に沿って係合させることで、第３の係止部２６と第２の野縁両側縁部１４の内面との接触面積を増大させて、第３の係止部２６と第２の野縁両側縁部１４の接触部分にガタが生じる恐れを防止して、野縁保持具１と第２の野縁部材６との係合状態を安定化させることができる。第２の野縁部材６を第２の野縁側溝部３に沿ってスライド自在に保持することにより、格子体８の平面形状を天井９又は天井パネルの形状に合わせた任意の形状に簡便に設定することができる。
【００５０】
さらに本実施例は請求項３に対応しており、保持具本体１１における隣接する第１の立ち上げ部２０と第２の立ち上げ部２３との間より水平方向に延設された延設片２８を水平方向に２分割して、分割された一方を垂直下向きに折り曲げて第１の野縁部材５の第１の野縁側両側縁部１２の外面に押圧可能な野縁側押圧部２９を設けると共に、他方を垂直上向きに折り曲げて野縁受部材７の受部材側両側縁部１６の外面に押圧可能な受部材側押圧部３０を設けている。
【００５１】
この場合、野縁側押圧部２９によって第１の野縁側両側縁部１２の外面が押圧されると、相対的に第１の係止部２１によって第１の野縁側両側縁部１２の内面が押圧され、第１の係止部２１と野縁側両側縁部との係合をさらに強固なものとして、野縁保持具１と第１の野縁部材５との係合状態をさらに安定化させることができる。同様に、受部材側押圧部３０によって受部材側両側縁部１６の外面が押圧されると、相対的に第２の係止部２４によって受部材側両側縁部１６の内面に押圧され、第２の係止部２４と受部材側両側縁部１６との係合をさらに強固なものとして、野縁保持具１と野縁受部材７との係合状態をさらに安定化させることができる。
【００５２】
また本実施例は請求項４に対応しており、吊下げ部材を天井９より垂設されたボルトとしての第１の吊下げボルト１０とし、天井接続部を第１の吊下げボルト１０に螺着可能なナット１８Ａとしている。
【００５３】
この場合、第１の吊下げボルト１０とナット１８Ａにより天井９と格子体８の接続を行う構造としたことで、格子体８はナット１８Ａを介して第１の吊下げボルト１０に上下動自在に構成されており、格子体８の下面に取り付けられる天井パネルの高さを例えばナット１８Ａが第１の吊下げボルト１０の先端に螺着した最低位置から野縁受部材７の上面が天井９に当接する最高位置までの任意の高さに調整可能に構成されている。ナット１８Ａを回動動作によって、第１の吊下げボルト１０の軸方向におけるナット１８Ａの螺着位置を変位させ、野縁保持具１の垂直方向の位置を任意に変更させ、格子体８を保持している各野縁保持具１の垂直方向の位置を均一に揃えることにより、格子体８を水平に保持して、この格子体８の下面部に取り付けられる天井パネルを水平に保持することが可能となる。
【００５４】
また、図１３に示すように天井９側に固定された、第１の野縁部材５及び野縁受部材７と同様の断面略Ｃ型の形鋼３７に対して、防振部材３１を装着して、この防振部材３１の螺子穴３４にナット等の固定部材３８によって固定された番線等の線部材や一端にねじ溝を備えた丸棒等の棒部材等からなる吊下げ部材３９を垂設して、その吊下げ部材３９の下端に蛍光灯等の各種照明装置４０を取り付けており、さらに吊下げ部材３９の中間部分を第２のワイヤ部材４１によって天井９側へ接続されている。このようにすることで、照明装置４０を吊下げ部材３９と第２のワイヤ部材４１によって照明装置４０の吊下げ重量に対して安定して吊下げ保持するとともに、照明装置４０の水平方向への振動を抑えて吊下げ保持することが可能となる。ここで、吊下げ部材３９の下端に取り付けられる被吊下げ対象は、照明装置４０に限定されるものではなく、各種電気機器であっても構わない。
【実施例２】
【００５５】
次に図１４〜図１５は、本発明の第２実施例を示すものである。同図において、図１〜図１１と同一部分には同一符号を付し、その共通する部分の詳細な説明は省略する。
【００５６】
本実施例の天井接続手段１８では、前述のナット１８Ａを保持具本体１１に固定せずに、保持具本体１１から独立して備えており、受部材側貫通部２７及び本体側貫通部１１Ａに挿通された第１の吊下げボルト１０に保持具本体１１の下側からナット１８Ａを螺着して、格子体８を天井９に吊下げ可能とすることで、前記第１実施例と同様の作用、効果を奏することが可能となる。
【実施例３】
【００５７】
図１６〜図２０は、本発明の第３実施例を示すものである。同図において、図１〜図１１と同一部分には同一符号を付し、その共通する部分の詳細な説明は省略する。
【００５８】
本実施例の天井接続手段１８についても、第２実施例と同様にナット１８Ａを保持具本体１１に固定せずに、保持具本体１１から独立して備えている。
【００５９】
また、本実施例の野縁保持具１は、上記第１実施例記載の野縁保持具１の受部材取付部１７Ａ，１７Ｂの一方１７Ａを略中央部分から水平方向に二分割して、一方１７Ａを二分割して形成された隙間４２より上方へ突設された腕部４３を備えている。
【００６０】
この腕部４３は、一方１７Ａの隙間より保持具本体１１を水平外向きへ延設した下側水平壁部４４と、保持具本体１１の略中央部分の上方に保持具本体１１と平行、かつ間隔Ｎ１を有して離間して配設された上側水平壁部４５と、下側水平壁部４４と上側水平壁部４５とを連結する縦壁部４６とを備える側面視略コ字型形状に形成されたものである。
【００６１】
ここで本実施例の野縁保持具１の特徴的構成として、前記第１実施例及び第２実施例において保持具本体１１の略中央部分に設けられた本体側貫通部１１Ａを、本実施例の野縁保持具１では上側水平壁部４５の略中央部分に備えたものとする。
【００６２】
さらに、上側水平壁部４５の上端から保持具本体１１の下端までの垂直方向の寸法をＮ２（６．５ｃｍ≦Ｎ２≦８．５ｃｍ、好ましくはＮ２＝約７．５ｃｍ）として形成されており、上側水平壁部４５と保持具本体１１との間には、例えば保持具本体１１を形成している板体の厚みを約２ｍｍとした場合に、垂直方向に前述の間隔Ｎ１（６ｃｍ≦Ｎ１≦８ｃｍ、好ましくはＮ２＝約７ｃｍ）を有する隙間４７が形成されている。ここで、この隙間４７は野縁受部材７を受部材取付部１７に取り付けた状態で、野縁受部材７と上側水平壁部４５との間に使用者の手又はスパナ、レンチ等の工具類等が出し入れ可能な間隔Ｎ３を有するものとする。
【００６３】
本実施例の野縁保持具１は、上側水平壁部４５の上方から本体側貫通部１１Ａに挿通された第１の吊下げボルト１０に、上側水平壁部４５の下側からナット１８Ａを螺着して、第１の吊下げボルト１０に腕部４３を取り付けることにより、野縁保持具１を介して格子体８を天井９に吊下げ可能とすることで、前記第１実施例と同様の作用、効果を奏することが可能となる。
【００６４】
また、野縁保持具１を介して天井９から吊下げられた格子体８を水平に保持するには、第１の吊下げボルト１０に螺着されたナット１８Ａを回動させて、第１の吊下げボルト１０の軸方向におけるナット１８Ａの螺着位置を変位させることで、野縁保持具１の垂直方向の位置を任意に変更させることが可能となる。このようなナット１８Ａの回動動作によって、格子体８を保持している各野縁保持具１の垂直方向の位置を均一に揃えることにより、格子体８を水平に保持して、この格子体８の下面部に取り付けられる天井パネルを水平に保持することが可能となる。
【００６５】
さらに、上側水平壁部４５と保持具本体１１との間には、受部材取付部１７に野縁受部材７を取り付けた状態で、上側水平壁部４５と野縁受部材７との間において使用者の手又は工具類等を出し入れ可能とする間隔Ｎ３を有する隙間４７が形成されたことにより、第１の吊下げボルト１０へのナット１８Ａの脱作業及び第１の吊下げボルト１０の軸方向に対するナット１８Ａの螺着位置の調節作業等に伴うナット１８Ａの回動作業を容易にして、作業性の向上を図ることができる。
【００６６】
以上のように本実施例は請求項５に対応しており、吊下げ部材を雄ねじ部材である第１の吊下げボルト１０とし、天井接続手段１８に、保持具本体１１より突設された腕部４３と、腕部４３の先端である上側水平壁部４５に設けられた第１の吊下げボルト１０が挿通可能な貫通部である本体側貫通部１１Ａと、本体側貫通部１１Ａに挿通された第１の吊下げボルト１０に螺着して、保持具本体１１を第１の吊下げボルト１０に接続可能とするナット１８Ａとを備えている。
【００６７】
この場合、第１の吊下げボルト１０とナット１８Ａにより天井９と格子体８の接続を行う構造としたことで、格子体８はナット１８Ａを介して第１の吊下げボルト１０に上下動自在に構成されており、格子体８の下面に取り付けられる天井パネルの高さを例えばナット１８Ａが第１の吊下げボルト１０の先端に螺着した最低位置から野縁受部材７の上面が天井９に当接する最高位置までの任意の高さに調整可能に構成されている。ナット１８Ａを回動動作によって、第１の吊下げボルト１０の軸方向におけるナット１８Ａの螺着位置を変位させ、野縁保持具１の垂直方向の位置を任意に変更させ、格子体８を保持している各野縁保持具１の垂直方向の位置を均一に揃えることにより、格子体８を水平に保持して、この格子体８の下面部に取り付けられる天井パネルを水平に保持することが可能となる。さらに、本体側貫通部１１Ａを腕部４５の上側水平壁部４５に備えたことにより、第１の吊下げボルト１０へのナット１８Ａの着脱作業及び第１の吊下げボルト１０の軸方向に対するナット１８Ａの螺着位置の調節作業等の各種作業に伴うナット１８Ａの回動作業を容易にして、作業性の向上を図ることができる。
【００６８】
本発明は上記各実施例に限定されるものではなく、本発明の要旨の範囲内において種々の変形実施が可能である。例えば、第１〜３の係止部、第１及び第２の野縁側両側縁部及び受部材側両側縁部の断面形状は略Ｊ型に限られるものではなく、略Ｌ型等の引っ掛り易い形状であれば、特に限定されるものではない。また、第３実施例に示す保持具本体の板体の厚み、間隔Ｎ１、寸法Ｎ２、間隔Ｎ３の数値についても適宜変更可能である。
【符号の説明】
【００６９】
１  野縁保持具
２  第１の野縁側溝部
３  第２の野縁側溝部
４  受部材側溝部
５  第１の野縁部材
６  第２の野縁部材（幅狭な野縁部材）
７  野縁受部材
８  格子体
９  天井
１０  第１の吊下げボルト（吊下げ部材）
１１  保持具本体
１１Ａ  本体側貫通部（貫通部）
１２  第１の野縁側両側縁部
１３  第１の野縁取付部
１４  第２の野縁側両側縁部
１５  第２の野縁取付部
１６  受部材側両側縁部
１７Ａ,１７Ｂ  受部材取付部
１８  天井接続手段
１８Ａ  ナット（雌ねじ部材）
１９  両端部
２０  第１の立ち上げ部
２１  第１の係止部
２２  別の両端部
２３  第２の立ち上げ部
２４  第２の係止部
２５  第３の立ち上げ部
２６  第３の係止部
２８  延設片
２９  野縁側押圧部
３０  受部材側押圧部
４３  腕部
４５  上側水平壁部（腕部の先端）
Ｘ  長手方向（野縁部材）
Ｚ  長手方向（野縁受部材）
【図１】
0005581620.tif 000002
【図２】
0005581620.tif 000003
【図３】
0005581620.tif 000004
【図４】
0005581620.tif 000005
【図５】
0005581620.tif 000006
【図６】
0005581620.tif 000007
【図７】
0005581620.tif 000008
【図８】
0005581620.tif 000009
【図９】
0005581620.tif 000010
【図１０】
0005581620.tif 000011
【図１１】
0005581620.tif 000012
【図１２】
0005581620.tif 000013
【図１３】
0005581620.tif 000014
【図１４】
0005581620.tif 000015
【図１５】
0005581620.tif 000016
【図１６】
0005581620.tif 000017
【図１７】
0005581620.tif 000018
【図１８】
0005581620.tif 000019
【図１９】
0005581620.tif 000020
【図２０】
0005581620.tif 000021